(57)【要約】  本発明は、仮想移動通信番号提供方法および装置に関し、さらに詳しくは、発信端末から伝送された仮想番号に対応する実際番号を格納するホーム位置登録器から実際番号などのルーチン(routing)情報を照会し、実際番号に対応する着信端末機へ短文メッセージ、長文メッセージまたはマルチメディアメッセージを伝送する方法および装置に関するものである。
2008527784.tif 000002
【特許請求の範囲】
【請求項１】
メッセージセンタおよびホーム位置登録器を含む移動通信網と結合する付加価値サービスサーバで仮想番号サービスを提供する方法において、
前記メッセージセンタから、仮想番号に相応する実際番号を含むメッセージ信号を受信する段階−ここで、前記メッセージ信号は、前記メッセージセンタが、発信端末から仮想番号を用いて発信されたメッセージ信号を受信し、ホーム位置登録器に前記仮想番号に対するルーチン(routing)情報を要請し、前記ホーム位置登録器から前記仮想番号に相応する予め格納された実際番号を含むルーチン情報応答信号に応じて伝送したものである−と、
前記メッセージ信号を変更する段階と、
前記変更されたメッセージ信号をメッセージセンタへ伝送する段階−ここで、前記変更されたメッセージ信号を受信したメッセージセンタはホーム位置登録器に前記実際番号のルーチン情報を要請し、前記ルーチン情報を要請された前記ホーム位置登録器は前記メッセージセンタへ実際番号のルーチン情報を応答し、前記ルーチン情報を受信したメッセージセンタは前記ルーチン情報によって着信端末側へメッセージ信号を伝送する−とを含む、仮想番号サービス提供方法。
【請求項２】
前記ホーム位置登録器は、仮想番号に相応する実際番号データを予め持っていることを特徴とする、請求項１に記載の仮想番号サービス提供方法。
【請求項３】
前記メッセージ信号を変更する段階は、メッセージ信号に、仮想番号サービスによるものであることを表示することを特徴とする、請求項１に記載の仮想番号サービス提供方法。
【請求項４】
前記メッセージセンタは前記付加価値サービスサーバへ状態情報を伝送し、前記状態情報を受信した前記付加価値サービスサーバは前記サービスに相応する課金情報を生成する段階をさらに含むことを特徴とする、請求項１に記載の仮想番号サービス提供方法。
【請求項５】
メッセージセンタを含む移動通信網と結合するホーム位置登録器で仮想番号サービスを提供する方法において、
メッセージセンタから、発信端末がメッセージの伝送に使用した仮想番号に対するルーチン情報の要請を受信する段階と、
前記ルーチン情報要請信号に応答して、短文メッセージセンタへ、前記仮想番号に相応する予め格納された実際番号を含むルーチン情報応答信号を伝送する段階と、
前記メッセージセンタから前記実際番号に対するルーチン情報要請を受信する段階と、
前記メッセージセンタへ前記実際番号に対するルーチン情報応答信号を伝送する段階−ここで、前記ルーチン情報応答信号を受信した前記メッセージセンタは前記ルーチン情報応答信号によって前記着信端末へ前記メッセージ信号を伝送する−とを含む、仮想番号サービス提供方法。
【請求項６】
ホーム位置登録器および付加価値サービスサーバを含む移動通信網と結合するメッセージセンタで仮想番号サービスを提供する方法において、
仮想番号を用いて発信端末が伝送したメッセージ信号を受信する段階と、
前記仮想番号に対するルーチン情報の要請をホーム位置登録器へ伝送する段階と、
前記ホーム位置登録器から、前記仮想番号に相応する予め格納された実際番号を含むルーチン情報応答信号を受信する段階と、
前記付加価値サービスサーバへ、前記仮想番号に相応する実際番号を含むメッセージ信号を伝送する段階と、
前記付加価値サービスサーバから変更されたメッセージ信号を受信する段階−ここで、前記変更されたメッセージ信号は、前記付加価値サービスサーバによって前記メッセージセンタから受信したメッセージ信号を変更したものである−と、
前記実際番号に対するルーチン情報の要請を前記ホーム位置登録器へ伝送する段階と、
前記ホーム位置登録器から、前記実際番号に対するルーチン情報応答信号を受信する段階と、
前記ルーチン情報応答信号によって着信端末側へ前記変更されたメッセージ信号を伝送する段階とを含む、仮想番号サービス提供方法。
【請求項７】
少なくとも一つの移動通信端末機を管理する発信交換機、着信交換機、第１短文メッセージセンタ、第２短文メッセージセンタ、第１ホーム位置登録器、および第２ホーム位置登録器を含む移動通信網と結合する付加価値サービスサーバで仮想番号サービスを提供する方法において、
前記第１短文メッセージセンタから、前記仮想番号に相応する実際番号およびメッセージ信号を含む短文メッセージ信号を受信する段階−ここで、前記短文メッセージ信号は、前記発信交換機が前記第１短文メッセージセンタへ仮想番号を用いて短文メッセージ信号を伝送し、前記短文メッセージ信号を受信した前記第１短文メッセージセンタが前記第１ホーム位置登録器へ前記仮想番号のルーチン情報を要請し、前記第１ホーム位置登録器が前記ルーチン情報信号に応答して前記第１短文メッセージセンタへ前記仮想番号に相応する予め格納された実際番号を含むルーチン情報応答信号を伝送し、前記ルーチン情報応答信号を受信した前記第１短文メッセージセンタが伝送したものである−と、
前記短文メッセージ信号を変更する段階と、
前記変更された短文メッセージ信号を第２短文メッセージセンタへ伝送する段階−ここで、前記変更された短文メッセージ信号を受信した第２短文メッセージセンタは前記第２ホーム位置登録器に前記実際番号のルーチン情報を要請し、前記ルーチン情報を要請された第２ホーム位置登録器は前記第２短文メッセージセンタへ実際番号のルーチン情報を応答し、前記ルーチン情報を受信した第２短文メッセージセンタは前記ルーチン情報によって前記着信交換機へ前記短文メッセージ信号を伝送する−とを含む、仮想番号サービス提供方法。
【請求項８】
前記ホーム位置登録器は、仮想番号に相応する実際番号データを予め持っていることを特徴とする、請求項７に記載の仮想番号サービス提供方法。
【請求項９】
前記短文メッセージ信号を変更する段階は、文字メッセージに、仮想番号サービスによるものであることを表示することを特徴とする、請求項７に記載の仮想番号サービス提供方法。
【請求項１０】
前記第２短文メッセージセンタは前記付加価値サービスサーバへ状態情報を伝送し、前記状態情報を受信した前記付加価値サービスサーバは前記サービスに相応する課金情報を生成する段階をさらに含むことを特徴とする、請求項７に記載の仮想番号サービス提供方法。
【請求項１１】
少なくとも一つの移動通信端末機を管理する発信交換機、着信交換機、短文メッセージセンタ、およびホーム位置登録器を含む移動通信網と結合する付加価値サービスサーバで仮想番号サービスを提供する方法において、
前記短文メッセージセンタから、前記仮想番号に相応する実際番号およびメッセージ信号を含む短文メッセージ信号を受信する段階−ここで、前記短文メッセージ信号は、前記発信交換機から前記短文メッセージセンタへ仮想番号を用いて短文メッセージ信号を伝送し、前記短文メッセージ信号を受信した短文メッセージセンタが前記ホーム位置登録器へ前記仮想番号のルーチン情報を要請し、前記ホーム位置登録器は前記ルーチン情報信号に応答して前記短文メッセージセンタへ前記仮想番号に相応する予め格納された実際番号を含むルーチン情報応答信号を伝送し、前記ルーチン情報応答信号を受信した前記短文メッセージセンタが伝送したものである−と、
前記短文メッセージ信号を変更する段階と、
前記変更された短文メッセージ信号を前記短文メッセージセンタへ伝送する段階−ここで、前記変更された短文メッセージ信号を受信した前記短文メッセージセンタは前記ホーム位置登録器に前記実際番号のルーチン情報を要請し、前記ルーチン情報を要請された前記ホーム位置登録器は前記短文メッセージセンタへ実際番号のルーチン情報を応答し、前記ルーチン情報を受信した前記短文メッセージセンタは前記着信交換機へ前記短文メッセージ信号を伝送する−とを含む、仮想番号サービス提供方法。
【請求項１２】
前記ホーム位置登録器は、仮想番号に相応する実際番号データを予め持っていることを特徴とする、請求項１１に記載の仮想番号サービス提供方法。
【請求項１３】
前記短文メッセージ信号を変更する段階は、文字メッセージに、仮想番号サービスによるものであることを表示することを特徴とする、請求項１１に記載の仮想番号サービス提供方法。
【請求項１４】
前記短文メッセージセンタは前記付加価値サービスサーバへ状態情報を伝送し、前記状態情報を受信した前記付加価値サービスサーバは前記サービスに相応する課金情報を生成する段階をさらに含むことを特徴とする、請求項１１に記載の仮想番号サービス提供方法。
【請求項１５】
ホーム位置登録器および顧客管理システムを含む移動通信網と結合する少なくとも一つの移動通信端末機を管理する交換機で仮想番号サービスを提供する方法において、
前記発信端末機から仮想番号の音声呼を受信する段階と、
前記仮想信号の音声呼のルーチン情報を前記ホーム位置登録器に要請する段階と、
前記ホーム位置登録器からルーチン情報信号を受信する段階−ここで、前記ルーチン情報信号は、前記ホーム位置登録器が顧客管理システムへ前記仮想番号に対する情報を要請し、前記要請信号を受信した前記顧客管理システムが前記仮想番号に基づいて仮想番号サービス加入有無および音声付加サービス加入有無を判断し、仮想番号サービスに加入されており且つ音声付加サービスに加入されていない場合、これに示される情報を含む−と、
前記ルーチン情報信号に、音声付加サービスに加入されていないことを示す情報が含まれた場合、発信端末機へ音声通話不可を示すメッセージを伝送する段階とを含む、仮想番号サービス提供方法。
【請求項１６】
少なくとも一つの移動通信端末機を管理する発信交換機、着信交換機、第１短文メッセージセンタ、第２短文メッセージセンタ、第１ホーム位置登録器、および第２ホーム位置登録器を含む移動通信網と結合して仮想番号サービスを提供する付加価値サービスサーバにおいて、
前記第１短文メッセージセンタから、前記仮想番号に相応する実際番号およびメッセージ信号を含む短文メッセージ信号を受信する手段−ここで、前記短文メッセージ信号は、前記発信交換機から前記第１短文メッセージセンタへ仮想番号を用いて短文メッセージ信号を伝送し、前記短文メッセージ信号を受信した第１短文メッセージセンタが前記第１ホーム位置登録器に前記仮想番号のルーチン情報を要請し、前記第１ホーム位置登録器は前記ルーチン情報要請信号に応答して前記第１短文メッセージセンタへ前記仮想番号に相応する予め格納された実際番号を含むルーチン情報応答信号を伝送し、前記ルーチン情報応答信号を受信した前記第１短文メッセージセンタが伝送したものである−と、
前記短文メッセージ信号を変更する手段と、
前記変更された短文メッセージ信号を第２短文メッセージセンタへ伝送する手段−ここで、前記変更された短文メッセージ信号を受信した第２短文メッセージセンタは前記第２ホーム位置登録器に前記実際番号のルーチン情報を要請し、前記ルーチン情報を要請された第２ホーム位置登録器は前記第２短文メッセージセンタへ実際番号のルーチン情報を応答し、前記ルーチン情報を受信した第２短文メッセージセンタは前記着信交換機に前記短文メッセージ信号を伝送する−とを含む、付加価値サービスサーバ。
【請求項１７】
少なくとも一つの移動通信端末機を管理する発信交換機、着信交換機、短文メッセージセンタ、およびホーム位置登録器を含む移動通信網と結合して仮想番号サービスを提供する付加価値サービスサーバにおいて、
前記短文メッセージセンタから、前記仮想番号に相応する実際番号およびメッセージ信号を含む短文メッセージ信号を受信する手段−ここで、前記短文メッセージ信号は、前記発信交換機から前記短文メッセージセンタへ仮想番号を用いて短文メッセージ信号を伝送し、前記短文メッセージ信号を受信した短文メッセージセンタが前記ホーム位置登録器へ前記仮想番号のルーチン情報を要請し、前記ホーム位置登録器は前記ルーチン情報信号に応答して前記短文メッセージセンタへ前記仮想番号に相応する予め格納された実際番号を含むルーチン情報応答信号を伝送し、前記ルーチン情報応答信号を受信した前記短文メッセージセンタが伝送したものである−と、
前記短文メッセージ信号を変更する手段と、
前記変更された短文メッセージ信号を前記短文メッセージセンタへ伝送する手段−ここで、前記変更された短文メッセージ信号を受信した前記短文メッセージセンタは前記ホーム位置登録器に前記実際番号のルーチン情報を要請し、前記ルーチン情報を要請された前記ホーム位置登録器は前記短文メッセージセンタへ実際番号のルーチン情報を応答し、前記ルーチン情報を受信した前記短文メッセージセンタは前記着信交換機へ前記短文メッセージ信号を伝送する−とを含む、付加価値サービスサーバ。
【請求項１８】
ホーム位置登録器および顧客管理システムを含む移動通信網と結合して仮想番号サービスを提供する少なくとも一つの移動通信端末機を管理する交換機において、
前記発信端末機から仮想番号の音声呼を受信する手段と、
前記仮想番号の音声呼のルーチン情報を前記ホーム位置登録器に要請する手段と、
前記ホーム位置登録器からルーチン情報信号を受信する手段−ここで、前記ルーチン情報信号は、前記ホーム位置登録器が顧客管理システムに前記仮想番号に対する情報を要請し、前記要請信号を受信した前記顧客管理システムが前記仮想番号に基づいて仮想番号サービス加入有無および音声付加サービス加入有無を判断し、仮想番号サービスに加入されており且つ音声付加サービスに加入されていない場合、これに示される情報を含む−と、
前記ルーチン情報信号に、音声付加サービスに加入されていないことを示す情報が含まれた場合、発信端末機へ音声通話不可を示すメッセージを伝送する手段とを含む、交換機。
【請求項１９】
少なくとも一つの移動通信端末機を管理する着信交換機、関門交換機、第１短文メッセージセンタ、第２短文メッセージセンタ、第１ホーム位置登録器、および第２ホーム位置登録器を含む移動通信網と結合する付加価値サービスサーバで仮想番号サービスを提供する方法において、
関門交換機から、仮想番号を含む短文メッセージ信号を受信する段階と、
前記短文メッセージ信号を第１短文メッセージセンタへ伝送する段階と、
前記第１短文メッセージセンタから、前記仮想番号に相応する実際番号の情報を含む短文メッセージ信号を受信する段階−ここで、前記仮想番号に相応する実際番号の情報を含む短文メッセージ信号は、前記付加価値サービスサーバが短文メッセージ信号を前記第１短文メッセージセンタへ伝送し、前記短文メッセージ信号を受信した前記第１短文メッセージセンタが前記短文メッセージのルーチン情報を前記第１ホーム位置登録器に要請し、前記ルーチン情報を要請された第１ホーム位置登録器は前記仮想番号サービスの番号に相応する実際番号の情報を含むルーチン応答信号を前記第１短文メッセージセンタへ伝送し、前記ルーチン応答信号を受信した前記第１短文メッセージセンタが発送したものである−と、
前記短文メッセージ信号を変更する段階と、
前記変更された短文メッセージ信号を前記第２短文メッセージセンタへ伝送する段階−ここで、前記変更された短文メッセージを受信した前記第２短文メッセージセンタは前記変更された短文メッセージに含まれた実際番号のルーチン情報を前記第２ホーム位置登録器に要請し、前記ルーチン情報を要請された前記第２ホーム位置登録器は前記実際番号の情報が含まれたルーチン応答信号を前記第２短文メッセージセンタへ伝送し、前記ルーチン応答を受信した前記第２短文メッセージセンタは前記変更された短文メッセージ信号を前記着信交換機へ伝送する−とを含む、仮想番号サービス提供方法。
【請求項２０】
前記第１ホーム位置登録器は、仮想番号に相応する実際番号データを予め持っていることを特徴とする、請求項１９に記載の仮想番号サービス提供方法。
【請求項２１】
前記短文メッセージ信号を変更する段階は、文字メッセージに、仮想番号サービスによるものであることを表示することを特徴とする、請求項１９に記載の仮想番号サービス提供方法。
【請求項２２】
前記第２短文メッセージセンタは前記付加価値サービスサーバへ状態情報を伝送し、前記状態情報を受信した前記付加価値サービスサーバは前記サービスに相応する課金情報を生成する段階をさらに含むことを特徴とする、請求項１９に記載の仮想番号サービス提供方法。
【請求項２３】
少なくとも一つの移動通信端末機を管理する着信交換機、関門交換機、短文メッセージセンタ、およびホーム位置登録器を含む移動通信網と結合する付加価値サービスサーバで仮想番号サービスを提供する方法において、
関門交換機から、仮想番号を含む短文メッセージ信号を受信する段階と、
前記受信した短文メッセージ信号を第１短文メッセージセンタへ伝送する段階と、
前記短文メッセージセンタから、前記仮想番号に相応する実際番号の情報を含む短文メッセージ信号を受信する段階−ここで、前記仮想番号に相応する実際番号の情報を含む短文メッセージ信号は、前記付加価値サービスサーバが短文メッセージ信号を前記短文メッセージセンタへ伝送し、前記短文メッセージ信号を受信した前記短文メッセージセンタが前記短文メッセージのルーチン情報を前記ホーム位置登録器に要請し、前記ルーチン情報を要請されたホーム位置登録器は前記仮想番号サービスの番号に相応する実際番号の情報を含むルーチン応答信号を前記短文メッセージセンタへ伝送し、前記ルーチン応答信号を受信した前記短文メッセージセンタが発送したものである−と、
前記短文メッセージ信号を変更する段階と、
前記変更された短文メッセージ信号を前記短文メッセージセンタへ伝送する段階−ここで、前記変更された短文メッセージを受信した前記短文メッセージセンタは前記変更された短文メッセージに含まれた実際番号のルーチン情報を前記ホーム位置登録器に要請し、前記ルーチン情報を要請された前記ホーム位置登録器は前記実際番号の情報が含まれたルーチン応答信号を前記短文メッセージセンタへ伝送し、前記ルーチン応答を受信した前記短文メッセージセンタは前記変更された短文メッセージを前記着信交換機へ伝送する−とを含む、仮想番号サービス提供方法。
【請求項２４】
前記ホーム位置登録器は、仮想番号に相応する実際番号データを予め持っていることを特徴とする、請求項２３に記載の仮想番号サービス提供方法。
【請求項２５】
前記短文メッセージ信号を変更する段階は、文字メッセージに、仮想番号サービスによるものであることを表示することを特徴とする、請求項２３に記載の仮想番号サービス提供方法。
【請求項２６】
前記短文メッセージセンタは前記付加価値サービスサーバへ状態情報を伝送し、前記状態情報を受信した前記付加価値サービスサーバは前記サービスに相応する課金情報を生成する段階をさらに含むことを特徴とする、請求項２３に記載の仮想番号サービス提供方法。
【請求項２７】
少なくとも一つの移動通信端末機を管理する着信交換機、関門交換機、第１短文メッセージセンタ、第２短文メッセージセンタ、第１ホーム位置登録器、および第２ホーム位置登録器を含む移動通信網と結合して仮想番号サービスを提供する付加価値サービスサーバにおいて、
関門交換機から、仮想番号を含む短文メッセージ信号を受信する手段と、
前記受信した短文メッセージ信号を第１短文メッセージセンタへ伝送する手段と、
前記第１短文メッセージセンタから、前記仮想番号に相応する実際番号の情報を含む短文メッセージ信号を受信する手段−ここで、前記仮想番号に相応する実際番号の情報を含む短文メッセージ信号は、前記付加価値サービスサーバが短文メッセージ信号を前記第１短文メッセージセンタへ伝送し、前記短文メッセージ信号を受信した前記第１短文メッセージセンタが前記短文メッセージのルーチン情報を前記第１ホーム位置登録器に要請し、前記ルーチン情報を要請された第１ホーム位置登録器は前記仮想番号サービスの番号に相応する実際番号の情報を含むルーチン応答信号を前記第１短文メッセージセンタへ伝送し、前記ルーチン応答信号を受信した前記第１短文メッセージセンタが発送したものである−と、
前記短文メッセージ信号を変更する手段と、
前記変更された短文メッセージ信号を前記第２短文メッセージセンタへ伝送する手段−ここで、前記変更された短文メッセージを受信した前記第２短文メッセージセンタは前記変更された短文メッセージに含まれた実際番号のルーチン情報を前記第２ホーム位置登録器に要請し、前記ルーチン情報を要請された前記第２ホーム位置登録器は前記実際番号の情報が含まれたルーチン応答信号を前記第２短文メッセージセンタへ伝送し、前記ルーチン応答を受信した前記第２短文メッセージセンタは前記変更された短文メッセージ信号を前記着信交換機へ伝送する−とを含む、付加価値サービスサーバ。
【請求項２８】
少なくとも一つの移動通信端末機を管理する着信交換機、関門交換機、短文メッセージセンタ、およびホーム位置登録器を含む移動通信網と結合して仮想番号サービスを提供する付加価値サービスサーバにおいて、
関門交換機から、仮想番号を含む短文メッセージ信号を受信する手段と、
前記受信した短文メッセージ信号を前記第１短文メッセージセンタへ伝送する手段と、
前記短文メッセージセンタから、前記仮想番号に相応する実際番号の情報を含む短文メッセージ信号を受信する手段−ここで、前記仮想番号に相応する実際番号の情報を含む短文メッセージ信号は、前記付加価値サービスサーバが短文メッセージ信号を前記短文メッセージセンタへ伝送し、前記短文メッセージ信号を受信した前記短文メッセージセンタが前記短文メッセージのルーチン情報を前記ホーム位置登録器に要請し、前記ルーチン情報を要請されたホーム位置登録器は前記仮想番号サービスの番号に相応する実際番号の情報を含むルーチン応答信号を前記短文メッセージセンタへ伝送し、前記ルーチン応答信号を受信した前記短文メッセージセンタが発送したものである−と、
前記短文メッセージ信号を変更する手段と、
前記変更された短文メッセージ信号を前記短文メッセージセンタへ伝送する手段−ここで、前記変更された短文メッセージを受信した前記短文メッセージセンタは前記変更された短文メッセージに含まれた実際番号のルーチン情報を前記ホーム位置登録器に要請し、前記ルーチン情報を要請された前記ホーム位置登録器は前記実際番号の情報が含まれたルーチン応答信号を前記短文メッセージセンタへ伝送し、前記ルーチン応答を受信した前記短文メッセージセンタは前記変更された短文メッセージ信号を前記着信交換機へ伝送する−とを含む、付加価値サービスサーバ。
【請求項２９】
少なくとも一つの移動端末機を管理する移動通信網、前記移動通信網と結合する移動通信ゲートウェイ、およびマルチメディアメッセージセンタと結合する長文メッセージセンタで仮想番号サービスを提供する方法において、
移動通信網から、仮想番号を含むマルチメディアメッセージ信号を受信する段階と、
前記受信されたマルチメディアメッセージ信号に含まれた仮想番号に対する情報を移動通信ゲートウェイに要請する段階と、
マルチメディアメッセージセンタから、実際番号の情報を含むマルチメディアメッセージ信号を受信する段階−ここで、前記実際番号の情報を含むマルチメディアメッセージ信号は、前記長文メッセージセンタから、前記マルチメディアメッセージ信号に含まれた仮想番号に相応する実際番号にマッピングし、前記実際番号を含むマルチメディアメッセージ信号をマルチメディアメッセージセンタへ伝送し、前記マルチメディアメッセージ信号を受信した前記マルチメディアメッセージセンタが所定の作業を行った後、発送したものである−と、
前記マルチメディアメッセージ信号を変更する段階と、
前記変更されたマルチメディアメッセージ信号を前記移動通信網へ伝送する段階とを含む、仮想番号サービス提供方法。
【請求項３０】
前記移動通信ゲートウェイは、仮想番号に相応する実際番号データを予め持っていることを特徴とする、請求項２９に記載の仮想番号サービス提供方法。
【請求項３１】
前記マルチメディアメッセージ信号を変更する段階は、マルチメディアメッセージに、仮想番号サービスによるものであることを表示することを特徴とする、請求項２９に記載の仮想番号サービス提供方法。
【請求項３２】
前記移動通信網は、少なくとも２つ以上の互いに異なる移動通信サービス提供者の通信網が結合したものであることを特徴とする、請求項２９に記載の仮想番号サービス提供方法。
【請求項３３】
少なくとも一つの移動端末機を管理する移動通信網、前記移動通信網と結合する長文メッセージセンタ、およびマルチメディアメッセージセンタと結合する移動通信ゲートウェイで仮想番号サービスを提供する方法において、
長文メッセージセンタからマルチメディアメッセージ信号を受信する段階と、
前記マルチメディアメッセージ信号に含まれた仮想番号に相応する実際番号にマッピングする段階と、
前記マッピングされた実際番号を含むマルチメディアメッセージ信号をマルチメディアメッセージセンタへ伝送する段階−ここで、マルチメディアメッセージ信号を受信した前記マルチメディアメッセージセンタは実際番号を含むマルチメディアメッセージ信号を前記長文メッセージセンタへ伝送し、前記長文メッセージセンタは前記受信したマルチメディアメッセージ情報を変更して前記移動通信網へ伝送する−とを含む、仮想番号サービス提供方法。
【請求項３４】
前記移動通信ゲートウェイは、仮想番号に相応する実際番号データを予め持っていることを特徴とする、請求項３３に記載の仮想番号サービス提供方法。
【請求項３５】
前記長文メッセージセンタでマルチメディアメッセージ信号を変更する段階は、マルチメディアメッセージに、仮想番号サービスによるものであることを表示することを特徴とする、請求項３３に記載の仮想番号サービス提供方法。
【請求項３６】
前記移動通信網は、少なくとも２つ以上の互いに異なる移動通信サービス提供者の通信網が結合したものであることを特徴とする、請求項３３に記載の仮想番号サービス提供方法。
【請求項３７】
少なくとも一つの移動端末機を管理する移動通信網、前記移動通信網と結合する移動通信ゲートウェイ、およびマルチメディアメッセージセンタと結合する仮想番号サービスを提供する長文メッセージセンタにおいて、
移動通信網から、仮想番号を含むマルチメディアメッセージ信号を受信する手段と、
前記受信されたマルチメディアメッセージ信号に含まれた仮想番号に対する情報を移動通信ゲートウェイに要請する手段と、
マルチメディアメッセージセンタから、実際番号の情報を含むマルチメディアメッセージ信号を受信する手段−ここで、前記実際番号の情報を含むマルチメディアメッセージ信号は、前記長文メッセージセンタから、前記マルチメディアメッセージ信号に含まれた仮想番号に相応する実際番号にマッピングし、前記実際番号を含むマルチメディアメッセージ信号をマルチメディアメッセージセンタへ伝送し、前記マルチメディアメッセージ信号を受信した前記マルチメディアメッセージセンタが所定の作業を行った後、発送したものである−と、
前記マルチメディアメッセージ信号を変更する手段と、
前記変更されたマルチメディアメッセージ信号を前記移動通信網へ伝送する手段とを含む、長文メッセージセンタ。
【請求項３８】
少なくとも一つの移動端末機を管理する移動通信網、前記移動通信網と結合する長文メッセージセンタ、およびマルチメディアメッセージセンタと結合して仮想番号サービスを提供する移動通信ゲートウェイにおいて、
長文メッセージセンタからマルチメディアメッセージ信号を受信する手段と、
前記マルチメディアメッセージ信号に含まれた仮想番号に相応する実際番号にマッピングする手段と、
前記マッピングされた実際番号を含むマルチメディアメッセージ信号をマルチメディアメッセージセンタへ伝送する手段−ここで、マルチメディアメッセージ信号を受信した前記マルチメディアメッセージセンタは実際番号を含むマルチメディアメッセージ信号を前記長文メッセージセンタへ伝送し、前記長文メッセージセンタは前記受信したマルチメディアメッセージ情報を変更して前記移動通信網へ伝送する−とを含む、移動通信ゲートウェイ。
【発明の詳細な説明】
【技術分野】
【０００１】
本発明は、仮想移動通信番号提供方法および装置に関する。
【背景技術】
【０００２】
移動通信システムの急速な発展に伴い、移動通信端末に与えられる番号が不可避に公開されることがある。特に、インターネットなどのように不特定の多数人が自由に情報を共有できる環境における番号公開は、一種のスパム(spam)といわれる広告性電話および文字メッセージを誘発している。よって、これは、私生活を深刻に侵害するおそれのある要因となれる。
【０００３】
かかる問題点を解決するために、一つの端末に２つの番号を与えるサービスが提案されている。このようなサービスは、一つの端末に２つの番号を与えるので、ホーム位置登録器（ＨＬＲ）などに負荷を誘発するという問題点があり、このようなサービスを提供するためには一般な端末に与えられる番号ではなく、特化された番号を与えなければならないので、番号資源の有限性による限界がある。
【０００４】
このような点において、ユーザが情報を公開したくない場合、またはメッセージ受信のみのための番号として使用するなどの付加的な用途に使用可能な仮想番号をさらに使用し得るようにするが、一般な端末に与えられる番号を使用しながらホーム位置登録器などの他の移動通信網の資源に負荷を誘発しないシステムが要請されている。
【発明の開示】
【発明が解決しようとする課題】
【０００５】
本発明は、上述した問題点を勘案して案出されたもので、その目的とするところは、移動通信網の資源に負荷を誘発せず、一般な端末に与えられる番号を使用することができる、メッセージ、例えば短文メッセージ(short message)、長文メッセージ(long message)、およびマルチメディアメッセージ(multimedia message)などのための仮想移動通信番号提供方法および装置を提供することにある。
【課題を解決するための手段】
【０００６】
上記目的を達成するために、本発明は、メッセージセンタおよびホーム位置登録器を含む移動通信網と結合する付加価値サービスサーバで仮想番号サービスを提供する方法において、前記メッセージセンタから、仮想番号に相応する実際番号を含むメッセージ信号を受信する段階−ここで、前記メッセージ信号は、前記メッセージセンタが、発信端末から仮想番号を用いて発信されたメッセージ信号を受信して、ホーム位置登録器に前記仮想番号に対するルーチン(routing)情報を要請し、前記ホーム位置登録器から前記仮想番号に相応する予め格納された実際番号を含むルーチン情報応答信号に応じて伝送したものである−と；前記メッセージ信号を変更する段階と；前記変更されたメッセージ信号をメッセージセンタへ伝送する段階−ここで、前記変更されたメッセージ信号を受信したメッセージセンタはホーム位置登録器に前記実際番号のルーチン情報を要請し、前記ルーチン情報を要請された前記ホーム位置登録器は前記メッセージセンタへ実際番号のルーチン情報を応答し、前記ルーチン情報を受信したメッセージセンタは前記ルーチン情報によって着信端末側へメッセージ信号を伝送する−とを含む、仮想番号サービス提供方法を提供する。
【０００７】
ここで、前記ホーム位置登録器は、仮想番号に相応する実際番号データを予め持っているように構成することができる。
【０００８】
また、前記メッセージ信号を変更する段階は、メッセージ信号に、仮想番号サービスによるものであることを表示することができる。
【０００９】
また、前記メッセージセンタは前記付加価値サービスサーバへ状態情報を伝送し、前記状態情報を受信した前記付加価値サービスサーバは前記サービスに相応する課金情報を生成する段階をさらに含むことができる。
【００１０】
本発明の他の側面によれば、メッセージセンタを含む移動通信網と結合するホーム位置登録器で仮想番号サービスを提供する方法において、メッセージセンタから、発信端末がメッセージの伝送に使用した仮想番号に対するルーチン情報の要請を受信する段階と；前記ルーチン情報要請信号に応答して、短文メッセージセンタへ、前記仮想番号に相応する予め格納された実際番号を含むルーチン情報応答信号を伝送する段階と；前記メッセージセンタから前記実際番号に対するルーチン情報要請を受信する段階と；前記メッセージセンタへ前記実際番号に対するルーチン情報応答信号を伝送する段階−ここで、前記ルーチン情報応答信号を受信した前記メッセージセンタは前記ルーチン情報応答信号によって前記着信端末へ前記メッセージ信号を伝送する−とを含む、仮想番号サービス提供方法を提供する。
【００１１】
また、本発明の別の側面によれば、ホーム位置登録器および付加価値サービスサーバを含む移動通信網と結合するメッセージセンタで仮想番号サービスを提供する方法において、仮想番号を用いて発信端末が伝送したメッセージ信号を受信する段階と；前記仮想番号に対するルーチン情報の要請をホーム位置登録器へ伝送する段階と；前記ホーム位置登録器から、前記仮想番号に相応する予め格納された実際番号を含むルーチン情報応答信号を受信する段階と；前記付加価値サービスサーバへ、前記仮想番号に相応する実際番号を含むメッセージ信号を伝送する段階と；前記付加価値サービスサーバから変更されたメッセージ信号を受信する段階−ここで、前記変更されたメッセージ信号は、前記付加価値サービスサーバによって前記メッセージセンタから受信したメッセージ信号を変更したものである−と；前記実際番号に対するルーチン情報の要請を前記ホーム位置登録器へ伝送する段階と；前記ホーム位置登録器から、前記実際番号に対するルーチン情報応答信号を受信する段階と；前記ルーチン情報応答信号によって着信端末側へ前記変更されたメッセージ信号を伝送する段階とを含む、仮想番号サービス提供方法を提供する。
【００１２】
本発明の好適な一実施例によれば、少なくとも一つの移動通信端末機を管理する発信交換機、着信交換機、第１短文メッセージセンタ、第２短文メッセージセンタ、第１ホーム位置登録器、および第２ホーム位置登録器を含む移動通信網と結合する付加価値サービスサーバで仮想番号サービスを提供する方法において、前記第１短文メッセージセンタから、前記仮想番号に相応する実際番号およびメッセージ信号を含む短文メッセージ信号を受信する段階−ここで、前記短文メッセージ信号は、前記発信交換機が前記第１短文メッセージセンタへ仮想番号を用いて短文メッセージ信号を伝送し、前記短文メッセージ信号を受信した前記第１短文メッセージセンタが前記第１ホーム位置登録器へ前記仮想番号のルーチン情報を要請し、前記第１ホーム位置登録器が前記ルーチン情報信号に応答して前記第１短文メッセージセンタへ前記仮想番号に相応する予め格納された実際番号を含むルーチン情報応答信号を伝送し、前記ルーチン情報応答信号を受信した前記第１短文メッセージセンタが伝送したものである−と；前記短文メッセージ信号を変更する段階と；前記変更された短文メッセージ信号を第２短文メッセージセンタへ伝送する段階−ここで、前記変更された短文メッセージ信号を受信した第２短文メッセージセンタは前記第２ホーム位置登録器に前記実際番号のルーチン情報を要請し、前記ルーチン情報を要請された第２ホーム位置登録器は前記第２短文メッセージセンタへ実際番号のルーチン情報を応答し、前記ルーチン情報を受信した第２短文メッセージセンタは前記ルーチン情報によって前記着信交換機へ前記短文メッセージ信号を伝送する−とを含む、仮想番号サービス提供方法を提供する。
【００１３】
ここで、前記ホーム位置登録器は、仮想番号に相応する実際番号データを予め持っているように構成することができる。
【００１４】
また、前記メッセージ信号を変更する段階は、メッセージ信号に、仮想番号サービスによるものであることを表示することができる。
【００１５】
また、前記メッセージセンタは前記付加価値サービスサーバへ状態情報を伝送し、前記状態情報を受信した前記付加価値サービスサーバは前記サービスに相応する課金情報を生成する段階をさらに含むことができる。
【００１６】
また、本発明は、少なくとも一つの移動通信端末機を管理する発信交換機、着信交換機、短文メッセージセンタ、およびホーム位置登録器を含む移動通信網と結合する付加価値サービスサーバで仮想番号サービスを提供する方法において、前記短文メッセージセンタから、前記仮想番号に相応する実際番号およびメッセージ信号を含む短文メッセージ信号を受信する段階−ここで、前記短文メッセージ信号は、前記発信交換機から前記短文メッセージセンタへ仮想番号を用いて短文メッセージ信号を伝送し、前記短文メッセージ信号を受信した短文メッセージセンタが前記ホーム位置登録器へ前記仮想番号のルーチン情報を要請し、前記ホーム位置登録器は前記ルーチン情報信号に応答して前記短文メッセージセンタへ前記仮想番号に相応する予め格納された実際番号を含むルーチン情報応答信号を伝送し、前記ルーチン情報応答信号を受信した前記短文メッセージセンタが伝送したものである−と；前記短文メッセージ信号を変更する段階と；前記変更された短文メッセージ信号を前記短文メッセージセンタへ伝送する段階−ここで、前記変更された短文メッセージ信号を受信した前記短文メッセージセンタは前記ホーム位置登録器に前記実際番号のルーチン情報を要請し、前記ルーチン情報を要請された前記ホーム位置登録器は前記短文メッセージセンタへ実際番号のルーチン情報を応答し、前記ルーチン情報を受信した前記短文メッセージセンタは前記着信交換機へ前記短文メッセージ信号を伝送する−とを含む、仮想番号サービス提供方法を提供する。
【００１７】
ここで、前記第１ホーム位置登録器およびホーム位置登録器は、仮想番号に相応する実際番号データを予め持つように構成することができる。
【００１８】
また、前記短文メッセージ信号を変更する段階は、文字メッセージに、仮想番号サービスによるものであることを表示するようにすることができる。
【００１９】
また、前記第２短文メッセージセンタおよび短文メッセージセンタは前記付加価値サービスサーバへ状態情報を伝送し、前記状態情報を受信した前記付加価値サービスサーバは前記サービスに相応する課金情報を生成する段階をさらに含むことができる。
【００２０】
また、本発明は、ホーム位置登録器および顧客管理システムを含む移動通信網と結合する少なくとも一つの移動通信端末機を管理する交換機で仮想番号サービスを提供する方法において、前記発信端末機から仮想番号の音声呼を受信する段階と；前記仮想信号の音声呼のルーチン情報を前記ホーム位置登録器に要請する段階と；前記ホーム位置登録器からルーチン情報信号を受信する段階−ここで、前記ルーチン情報信号は、前記ホーム位置登録器が顧客管理システムに前記仮想番号に対する情報を要請し、前記要請信号を受信した前記顧客管理システムが前記仮想番号に基づいて仮想番号サービス加入有無および音声付加サービス加入有無を判断し、仮想番号サービスに加入されており且つ音声付加サービスに加入されていない場合、これに示される情報を含む−と；前記ルーチン情報信号に、音声付加サービスに加入されていないことを示す情報が含まれた場合、発信端末機へ音声通話不可を示すメッセージを伝送する段階とを含む、仮想番号サービス提供方法を提供する。
【００２１】
本発明の別の側面によれば、少なくとも一つの移動通信端末機を管理する発信交換機、着信交換機、第１短文メッセージセンタ、第２短文メッセージセンタ、第１ホーム位置登録器、および第２ホーム位置登録器を含む移動通信網と結合して仮想番号サービスを提供する付加価値サービスサーバにおいて、前記第１短文メッセージセンタから、前記仮想番号に相応する実際番号およびメッセージ信号を含む短文メッセージ信号を受信する手段−ここで、前記短文メッセージ信号は、前記発信交換機から前記第１短文メッセージセンタへ仮想番号を用いて短文メッセージ信号を伝送し、前記短文メッセージ信号を受信した第１短文メッセージセンタが前記仮想番号のルーチン情報を前記第１ホーム位置登録器に要請し、前記第１ホーム位置登録器は前記ルーチン情報要請信号に応答して前記第１短文メッセージセンタへ前記仮想番号に相応する予め格納された実際番号を含むルーチン情報応答信号を伝送し、前記ルーチン情報応答信号を受信した前記第１短文メッセージセンタが伝送したものである−と；前記短文メッセージ信号を変更する手段と；前記変更された短文メッセージ信号を第２短文メッセージセンタへ伝送する手段−ここで、前記変更された短文メッセージ信号を受信した第２短文メッセージセンタは前記第２ホーム位置登録器に前記実際番号のルーチン情報を要請し、前記ルーチン情報を要請された第２ホーム位置登録器は前記第２短文メッセージセンタへ実際番号のルーチン情報を応答し、前記ルーチン情報を受信した第２短文メッセージセンタは前記着信交換機に前記短文メッセージ信号を伝送する−とを含む、付加価値サービスサーバを提供する。
【００２２】
また、本発明は、少なくとも一つの移動通信端末機を管理する発信交換機、着信交換機、短文メッセージセンタ、およびホーム位置登録器を含む移動通信網と結合して仮想番号サービスを提供する付加価値サービスサーバにおいて、前記短文メッセージセンタから、前記仮想番号に相応する実際番号およびメッセージ信号を含む短文メッセージ信号を受信する手段−ここで、前記短文メッセージ信号は、前記発信交換機から前記短文メッセージセンタへ仮想番号を用いて短文メッセージ信号を伝送し、前記短文メッセージ信号を受信した短文メッセージセンタが前記ホーム位置登録器へ前記仮想番号のルーチン情報を要請し、前記ホーム位置登録器は前記ルーチン情報信号に応答して前記短文メッセージセンタへ前記仮想番号に相応する予め格納された実際番号を含むルーチン情報応答信号を伝送し、前記ルーチン情報応答信号を受信した前記短文メッセージセンタが伝送したものである−と；前記短文メッセージ信号を変更する手段と；前記変更された短文メッセージ信号を前記短文メッセージセンタへ伝送する手段−ここで、前記変更された短文メッセージ信号を受信した前記短文メッセージセンタは前記ホーム位置登録器に前記実際番号のルーチン情報を要請し、前記ルーチン情報を要請された前記ホーム位置登録器は前記短文メッセージセンタへ実際番号のルーチン情報を応答し、前記ルーチン情報を受信した前記短文メッセージセンタは前記着信交換機に前記短文メッセージ信号を伝送する−とを含む、付加価値サービスサーバを提供する。
【００２３】
また、本発明は、ホーム位置登録器および顧客管理システムを含む移動通信網と結合して仮想番号サービスを提供する少なくとも一つの移動通信端末機を管理する交換機において、前記発信端末機から仮想番号の音声呼を受信する手段と；前記仮想番号の音声呼のルーチン情報を前記ホーム位置登録器に要請する手段と；前記ホーム位置登録器からルーチン情報信号を受信する手段−ここで、前記ルーチン情報信号は、前記ホーム位置登録器が顧客管理システムへ前記仮想番号に対する情報を要請し、前記要請信号を受信した前記顧客管理システムが前記仮想番号に基づいて仮想番号サービス加入有無および音声付加サービス加入有無を判断し、仮想番号サービスに加入されており且つ音声付加サービスに加入されていない場合、これに示される情報を含む−と；前記ルーチン情報信号に、音声付加サービスに加入されていないことを示す情報が含まれた場合、発信端末機へ音声通話不可を示すメッセージを伝送する手段とを含む、交換機を提供する。
【００２４】
本発明の他の一実施例によれば、少なくとも一つの移動通信端末機を管理する着信交換機、関門交換機、第１短文メッセージセンタ、第２短文メッセージセンタ、第１ホーム位置登録器、および第２ホーム位置登録器を含む移動通信網と結合する付加価値サービスサーバで仮想番号サービスを提供する方法において、関門交換機から、仮想番号を含む短文メッセージ信号を受信する段階と；前記短文メッセージ信号を第１短文メッセージセンタへ伝送する段階と；前記第１短文メッセージセンタから、前記仮想番号に相応する実際番号の情報を含む短文メッセージ信号を受信する段階−ここで、前記仮想番号に相応する実際番号の情報を含む短文メッセージ信号は、前記付加価値サービスサーバが短文メッセージ信号を前記第１短文メッセージセンタへ伝送し、前記短文メッセージ信号を受信した前記第１短文メッセージセンタが前記短文メッセージのルーチン情報を前記第１ホーム位置登録器に要請し、前記ルーチン情報を要請された第１ホーム位置登録器は前記仮想番号サービスの番号に相応する実際番号の情報を含むルーチン応答信号を前記第１短文メッセージセンタへ伝送し、前記ルーチン応答信号を受信した前記第１短文メッセージセンタが発送したものである−と；前記短文メッセージ信号を変更する段階と；前記変更された短文メッセージ信号を前記第２短文メッセージセンタへ伝送する段階−ここで、前記変更された短文メッセージを受信した前記第２短文メッセージセンタは前記変更された短文メッセージに含まれた実際番号のルーチン情報を前記第２ホーム位置登録器に要請し、前記ルーチン情報を要請された前記第２ホーム位置登録器は前記実際番号の情報が含まれたルーチン応答信号を前記第２短文メッセージセンタへ伝送し、前記ルーチン応答を受信した前記第２短文メッセージセンタは前記変更された短文メッセージ信号を前記着信交換機へ伝送する−とを含む、仮想番号サービス提供方法を提供する。
【００２５】
ここで、前記ホーム位置登録器は、仮想番号に相応する実際番号データを予め持っているように構成することができる。
【００２６】
また、前記メッセージ信号を変更する段階は、メッセージ信号に、仮想番号サービスによるものであることを表示することができる。
【００２７】
また、前記メッセージセンタは前記付加価値サービスサーバへ状態情報を伝送し、前記状態情報を受信した前記付加価値サービスサーバは前記サービスに相応する課金情報を生成する段階をさらに含むことができる。
【００２８】
また、本発明は、少なくとも一つの移動通信端末機を管理する着信交換機、関門交換機、短文メッセージセンタ、およびホーム位置登録器を含む移動通信網と結合する付加価値サービスサーバで仮想番号サービスを提供する方法において、関門交換機から、仮想番号を含む短文メッセージ信号を受信する段階と；前記受信した短文メッセージ信号を第１短文メッセージセンタへ伝送する段階と；前記短文メッセージセンタから、前記仮想番号に相応する実際番号の情報を含む短文メッセージ信号を受信する段階−ここで、前記仮想番号に相応する実際番号の情報を含む短文メッセージ信号は、前記付加価値サービスサーバが短文メッセージ信号を前記短文メッセージセンタへ伝送し、前記短文メッセージ信号を受信した前記短文メッセージセンタが前記短文メッセージのルーチン情報を前記ホーム位置登録器に要請し、前記ルーチン情報を要請されたホーム位置登録器は前記仮想番号サービスの番号に相応する実際番号の情報を含むルーチン応答信号を前記短文メッセージセンタへ伝送し、前記ルーチン応答信号を受信した前記短文メッセージセンタが発送したものである−と；前記短文メッセージ信号を変更する段階と；前記変更された短文メッセージ信号を前記短文メッセージセンタへ伝送する段階−ここで、前記変更された短文メッセージを受信した前記短文メッセージセンタは前記変更された短文メッセージに含まれた実際番号のルーチン情報を前記ホーム位置登録器に要請し、前記ルーチン情報を要請された前記ホーム位置登録器は前記実際番号の情報が含まれたルーチン応答信号を前記短文メッセージセンタへ伝送し、前記ルーチン応答を受信した前記短文メッセージセンタは前記変更された短文メッセージを前記着信交換機へ伝送する−とを含む、仮想番号サービス提供方法を提供する。
【００２９】
ここで、前記第１ホーム位置登録器およびホーム位置登録器は、仮想番号に相応する実際番号データを予め持つように構成することができる。
【００３０】
また、前記短文メッセージ信号を変更する段階は、文字メッセージに、仮想番号サービスによるものであることを表示するようにすることができる。
【００３１】
また、前記第２短文メッセージセンタおよび短文メッセージセンタは前記付加価値サービスサーバへ状態情報を伝送し、前記状態情報を受信した前記付加価値サービスサーバは前記サービスに相応する課金情報を生成する段階をさらに含むことができる。
【００３２】
本発明の他の側面によれば、少なくとも一つの移動通信端末機を管理する着信交換機、関門交換機、第１短文メッセージセンタ、第２短文メッセージセンタ、第１ホーム位置登録器、および第２ホーム位置登録器を含む移動通信網と結合して仮想番号サービスを提供する付加価値サービスサーバにおいて、関門交換機から、仮想番号を含む短文メッセージ信号を受信する手段と；前記受信した短文メッセージ信号を第１短文メッセージセンタへ伝送する手段と；前記第１短文メッセージセンタから、前記仮想番号に相応する実際番号の情報を含む短文メッセージ信号を受信する手段−ここで、前記仮想番号に相応する実際番号の情報を含む短文メッセージ信号は、前記付加価値サービスサーバが短文メッセージ信号を前記第１短文メッセージセンタへ伝送し、前記短文メッセージ信号を受信した前記第１短文メッセージセンタが前記短文メッセージのルーチン情報を前記第１ホーム位置登録器に要請し、前記ルーチン情報を要請された第１ホーム位置登録器は前記仮想番号サービスの番号に相応する実際番号の情報を含むルーチン応答信号を前記第１短文メッセージセンタへ伝送し、前記ルーチン応答信号を受信した前記第１短文メッセージセンタが発送したものである−と；前記短文メッセージ信号を変更する手段と、前記変更された短文メッセージ信号を前記第２短文メッセージセンタへ伝送する手段−ここで、前記変更された短文メッセージを受信した前記第２短文メッセージセンタは前記変更された短文メッセージに含まれた実際番号のルーチン情報を前記第２ホーム位置登録器に要請し、前記ルーチン情報を要請された前記第２ホーム位置登録器は前記実際番号の情報が含まれたルーチン応答信号を前記第２短文メッセージセンタへ伝送し、前記ルーチン応答を受信した前記第２短文メッセージセンタは前記変更された短文メッセージ信号を前記着信交換機へ伝送する−とを含む、付加価値サービスサーバを提供する。
【００３３】
また、本発明は、少なくとも一つの移動通信端末機を管理する着信交換機、関門交換機、短文メッセージセンタ、およびホーム位置登録器を含む移動通信網と結合して仮想番号サービスを提供する付加価値サービスサーバにおいて、関門交換機から、仮想番号を含む短文メッセージ信号を受信する手段と；前記受信した短文メッセージ信号を前記第１短文メッセージセンタへ伝送する手段と；前記短文メッセージセンタから、前記仮想番号に相応する実際番号の情報を含む短文メッセージ信号を受信する手段−ここで、前記仮想番号に相応する実際番号の情報を含む短文メッセージ信号は、前記付加価値サービスサーバが短文メッセージ信号を前記短文メッセージセンタへ伝送し、前記短文メッセージ信号を受信した前記短文メッセージセンタが前記短文メッセージのルーチン情報を前記ホーム位置登録器に要請し、前記ルーチン情報を要請されたホーム位置登録器は前記仮想番号サービスの番号に相応する実際番号の情報を含むルーチン応答信号を前記短文メッセージセンタへ伝送し、前記ルーチン応答信号を受信した前記短文メッセージセンタが発送したものである−と；前記短文メッセージ信号を変更する手段と；前記変更された短文メッセージ信号を前記短文メッセージセンタへ伝送する手段−ここで、前記変更された短文メッセージを受信した前記短文メッセージセンタは前記変更された短文メッセージに含まれた実際番号のルーチン情報を前記ホーム位置登録器に要請し、前記ルーチン情報を要請された前記ホーム位置登録器は前記実際番号の情報が含まれたルーチン応答信号を前記短文メッセージセンタへ伝送し、前記ルーチン応答を受信した前記短文メッセージセンタは前記変更された短文メッセージ信号を前記着信交換機へ伝送する−とを含む、付加価値サービスサーバを提供する。
【００３４】
本発明の別の好適な実施例によれば、少なくとも一つの移動端末機を管理する移動通信網、前記移動通信網と結合する移動通信ゲートウェイ、およびマルチメディアメッセージセンタと結合する長文メッセージセンタで仮想番号サービスを提供する方法において、移動通信網から、仮想番号を含むマルチメディアメッセージ信号を受信する段階と；前記受信されたマルチメディアメッセージ信号に含まれた仮想番号に対する情報を移動通信ゲートウェイに要請する段階と；マルチメディアメッセージセンタから、実際番号の情報を含むマルチメディアメッセージ信号を受信する段階−ここで、前記実際番号の情報を含むマルチメディアメッセージ信号は、前記長文メッセージセンタから、前記マルチメディアメッセージ信号に含まれた仮想番号に相応する実際番号にマッピングし、前記実際番号を含むマルチメディアメッセージ信号をマルチメディアメッセージセンタへ伝送し、前記マルチメディアメッセージ信号を受信した前記マルチメディアメッセージセンタが所定の作業を行った後、発送したものである−と；前記マルチメディアメッセージ信号を変更する段階と；前記変更されたマルチメディアメッセージ信号を前記移動通信網へ伝送する段階とを含む、仮想番号サービス提供方法を提供する。
【００３５】
ここで、移動通信ゲートウェイは、仮想番号に相応する実際番号データをあらかじめ持っているように構成することができる。
【００３６】
また、前記マルチメディアメッセージを変更する段階は、マルチメディアメッセージは仮想番号サービスによるものであることを表示することができる。
【００３７】
また、前記移動通信網は少なくとも二つの異なる移動通信サービスプロバイダによって構成される。
【００３８】
また、本発明は、少なくとも一つの移動端末機を管理する移動通信網、前記移動通信網と結合する長文メッセージセンタ、およびマルチメディアメッセージセンタと結合する移動通信ゲートウェイで仮想番号サービスを提供する方法において、長文メッセージセンタからマルチメディアメッセージ信号を受信する段階と；前記マルチメディアメッセージ信号に含まれた仮想番号に相応する実際番号にマッピングする段階と；前記マッピングされた実際番号を含むマルチメディアメッセージ信号をマルチメディアメッセージセンタへ伝送する段階−ここで、マルチメディアメッセージ信号を受信した前記マルチメディアメッセージセンタは実際番号を含むマルチメディアメッセージ信号を前記長文メッセージセンタへ伝送し、前記長文メッセージセンタは前記受信したマルチメディアメッセージ情報を変更して前記移動通信網へ伝送する−とを含む、仮想番号サービス提供方法を提供する。
【００３９】
ここで、前記移動通信ゲートウェイは、仮想番号に相応する実際番号データを予め持つように構成することができる。
【００４０】
また、前記マルチメディアメッセージ信号を変更する段階は、マルチメディアメッセージに、仮想番号サービスによるものであることを表示するように構成することができる。
【００４１】
また、前記移動通信網は、少なくとも２つ以上の互いに異なる移動通信サービス提供者の通信網が結合したものであってもよい。
【００４２】
本発明の他の側面によれば、少なくとも一つの移動端末機を管理する移動通信網、前記移動通信網と結合する移動通信ゲートウェイ、およびマルチメディアメッセージセンタと結合する仮想番号サービスを提供する長文メッセージセンタにおいて、移動通信網から、仮想番号を含むマルチメディアメッセージ信号を受信する手段と；前記受信されたマルチメディアメッセージ信号に含まれた仮想番号に対する情報を移動通信ゲートウェイに要請する手段と；マルチメディアメッセージセンタから、実際番号の情報を含むマルチメディアメッセージ信号を受信する手段−ここで、前記実際番号の情報を含むマルチメディアメッセージ信号は、前記長文メッセージセンタから、前記マルチメディアメッセージ信号に含まれた仮想番号に相応する実際番号にマッピングし、前記実際番号を含むマルチメディアメッセージ信号をマルチメディアメッセージセンタへ伝送し、前記マルチメディアメッセージ信号を受信した前記マルチメディアメッセージセンタが所定の作業を行った後、発送したものである−と；前記マルチメディアメッセージ信号を変更する手段と；前記変更されたマルチメディアメッセージ信号を前記移動通信網へ伝送する手段とを含む、長文メッセージセンタを提供する。
【００４３】
また、本発明は、少なくとも一つの移動端末機を管理する移動通信網、前記移動通信網と結合する長文メッセージセンタ、およびマルチメディアメッセージセンタと結合して仮想番号サービスを提供する移動通信ゲートウェイにおいて、長文メッセージセンタからマルチメディアメッセージ信号を受信する手段と；前記マルチメディアメッセージ信号に含まれた仮想番号に相応する実際番号にマッピングする手段と；前記マッピングされた実際番号を含むマルチメディアメッセージ信号をマルチメディアメッセージセンタへ伝送する手段−ここで、マルチメディアメッセージ信号を受信した前記マルチメディアメッセージセンタは実際番号を含むマルチメディアメッセージ信号を前記長文メッセージセンタへ伝送し、前記長文メッセージセンタは前記受信したマルチメディアメッセージ情報を変更して前記移動通信網へ伝送する−とを含む、移動通信ゲートウェイを提供する。
【発明の効果】
【００４４】
本発明によれば、移動通信網の資源に負荷を誘発せず、一般な端末に与えられる番号を使用することができる、メッセージ、例えば短文メッセージ、長文メッセージ、およびマルチメディアメッセージなどのための仮想移動通信番号提供方法および装置を提供することができる。
【発明を実施するための最良の形態】
【００４５】
以下、添付図面を参照して本発明の好適な実施例を詳細に説明する。
【実施例１】
【００４６】
図１は本発明の好適な一実施例に係る短文メッセージのための仮想移動通信番号（以下、簡単に「仮想電話番号」ともいう）を提供するサービスを概略的に説明するための概念図である。
【００４７】
まず、本発明の好適な一実施例に係る仮想電話番号を提供するサービスを概括的に説明すると、特定の番号が予め与えられている端末機に対して仮想電話番号をさらに付与し、このような仮想電話番号では短文メッセージのみを受信し、仮想電話番号に対して音声通話を試みる場合、交換機などを介して音声付加サービスに加入している場合には元々与えられた特定の番号（実際番号）に呼を連結させ、音声付加サービスに加入していない場合には適切な案内メッセージなどを伝送し得るようにするサービスである。
【００４８】
図１を参照すると、このような仮想電話番号提供サービスに加入した端末機１０９は、加入の際に元々与えられていた既存の電圧番号である０１６−１１１−１１１１以外に、仮想電話番号０１０−１１１−１１１１の番号を追加的に与えられた端末機であり、仮想移動通信電話番号サービスによって与えられた仮想電話番号は、短文メッセージサービスのみを利用することが可能な番号である。
【００４９】
サービス加入端末機１０９に元々与えられていた既存の番号に対して例えば音声通話を試みる端末機１０５は、サービス加入端末機１０９と既存の方式で音声通話を連結することができる。勿論、音声通話以外の短文メッセージ伝送またはその他のサービスを利用することもできる。
【００５０】
一方、仮想移動電話番号提供サービスによってさらに与えられた仮想電話番号０１０−１１１−１１１１の番号では、短文メッセージ１０３サービスのみが可能である。前述したように、仮想電話番号０１０−１１１−１１１１に対して音声通話を試みる場合、音声付加サービスなどに加入している場合には元々与えられていた特定の番号（実際番号）に呼を連結させ、音声付加サービスに加入していない場合には適切な案内メッセージなどを伝送することもできる。
【００５１】
図２は仮想電話番号に対して音声呼の連結を試みる場合を説明するための構成図であって、仮想電話番号では短文メッセージ伝送のみが可能で音声通話が不可能な場合、すなわち音声付加サービスに加入していない場合を示すものである。
【００５２】
図２を参照すると、発信端末機２０１が、着信端末機に与えられた仮想電話番号を用いて音声通話を試みる。音声通話要請を受信した交換機２０３は、仮想電話番号によってホーム位置登録器（ＨＬＲ：Home Location Register）２０５へルーチン(routing)情報を要請する。ルーチン情報要請を受信したホーム位置登録器２０５は、基本情報を確認した後、顧客管理システム(Wireless Information System Environment：ＷＩＳＥ)２０７へ仮想電話番号に対する情報−例えば、仮想電話番号サービス加入有無、仮想電話番号に対応する実際電話番号、音声付加サービス加入有無などの情報−を要請し、これの提供を受ける。図２の場合、音声付加サービスに加入していない場合なので、顧客管理システム２０７は、発信端末機２０１が音声通話を要請した番号が仮想電話番号であり、音声付加サービスに加入していないという情報をホーム位置登録器２０５へ伝送し、ホーム位置登録器２０５はこのような情報をさらに交換機２０３へ伝送し、交換機２０３は音声通話不可という案内メッセージを発信端末機２０１へ発送する。
【００５３】
図３は仮想電話番号に対して音声呼の連結を試みる場合を説明するための構成図であって、仮想電話番号では短文メッセージおよび音声通話の両方ともが可能な場合、すなわち音声付加サービスに加入している場合を示すものである。
【００５４】
図３を参照すると、発信端末機３０１が、着信端末機に与えられた仮想電話番号を用いて音声通話を試みる。音声通話要請を受信した交換機３０３は、仮想電話番号によって第１ホーム位置登録器３０５へルーチン(routing)情報を要請する。ルーチン情報要請を受信した第１ホーム位置登録器３０５は、基本情報を確認した後、顧客管理システム(Wireless Information System Environment：ＷＩＳＥ)３０７へ仮想電話番号に対する情報−例えば、仮想電話番号サービス加入有無、仮想電話番号に対応する実際電話番号、音声付加サービス加入有無などの情報−を要請し、これの提供を受ける。図３の場合、音声付加サービスに加入している場合なので、顧客管理システム３０９は、発信端末機２０１から音声通話を要請した番号が仮想電話番号であり、音声付加サービスに加入しているという情報と実際電話番号情報を第１ホーム位置登録器３０５へ伝送する。次に、第１ホーム位置登録器３０５は、仮想電話番号に相応する実際電話番号のルーチン情報を第２ホーム位置登録器に要請し、第２ホーム位置登録器は、実際電話番号のルーチン情報を提供することにより、一般な音声通話手続きに従って音声通話を処理する（段階３１１）。
【００５５】
一方、図２および図３において、ホーム位置登録器２０５に仮想電話番号に対する情報を含むようにし、顧客管理システムの役割をホーム位置登録器が代理するように構成することもできる。
【００５６】
図４は本発明の好適な一実施例によって仮想電話番号へ短文メッセージサービスを伝送する場合を説明するための構成図である。
【００５７】
図４を参照すると、まず、発信端末機が、着信端末機に与えられた仮想電話番号を用いて短文メッセージを伝送する（段階４０１）。発信交換機４０３は、受信された短文メッセージを含む短文メッセージ信号を第１短文メッセージセンタ（ＳＭＳＣ:Short Message Service Center）４０５へ伝送する。
【００５８】
第１短文メッセージセンタ４０５は、第１ホーム位置登録器４１３へ仮想電話番号に対応するルーチン(routing)情報を要請し、第１ホーム位置登録器４１３は、仮想電話番号に対応する実際電話番号を含むルーチン情報を第１短文メッセージセンタ４０５へ伝送する。ここで、第１ホーム位置登録器４１３は、仮想電話番号に対する情報−仮想電話番号サービス加入有無、仮想電話番号に対応する実際電話番号、音声付加サービス加入有無などの情報−を格納している。
【００５９】
第１短文メッセージセンタ４０５は、受信したルーチン情報に含まれた実際電話番号と仮想電話番号を含む短文メッセージ信号を付加価値サービスサーバ(Value Added Service server：ＶＡＳ)４０７へ伝送する。
【００６０】
付加価値サービスサーバ４０７は、受信された短文メッセージ信号に仮想電話番号サービスによる短文メッセージというメッセージを追加して短文メッセージ信号を変更し、変更された短文メッセージ信号を第２短文メッセージセンタ４０９へ伝送する。短文メッセージ信号を受信した第２短文メッセージセンタ４０９は、第２ホーム位置登録器４１５に、短文メッセージが伝達される実際電話番号に対するルーチン情報を要請し、第２ホーム位置登録器４１５は、実際電話番号に対するルーチン情報を第２短文メッセージセンタ４０９へ伝送する。ここで、第２ホーム位置登録器４１５も、第１ホーム位置登録器４１３と同様に、仮想電話番号に対する情報を格納している。
【００６１】
ルーチン情報を受信した第２短文メッセージセンタ４０９は、着信交換機４１１を介して一般な短文メッセージ伝送手続きに従って実際電話番号に対する着信端末機へ短文メッセージを伝達する。
【００６２】
図５は、図３で説明したように、音声付加サービスに加入していない端末へ仮想電話番号を用いて音声通話を要請する場合に対する順序図である。
【００６３】
図５を参照すると、発信端末機は、着信端末機に対して予め与えられた仮想電話番号を用いて音声呼を発送する（段階５０１）。発信端末機から音声呼要請を受信した交換機は、音声呼が要請された着信端末機の電話番号を確認し（段階５０３）、ホーム位置登録器へ音声呼のルーチン情報を要請する。
【００６４】
ルーチン情報要請を受信したホーム位置登録器は、電話番号を確認して（段階５０５）、電話番号が短文メッセージのための仮想電話番号サービスによる仮想電話番号なのか否かを判断する（段階５０７）。電話番号が仮想電話番号でなければ、一般な音声呼として処理する（段階５０９）。
【００６５】
電話番号が仮想電話番号サービスに加入されている仮想電話番号であれば、仮想電話番号が音声付加サービスに加入されているか否かを確認する（段階５１１）、この場合、音声付加サービス加入有無は、図３で説明したように、付加価値サービスサーバを利用することができる。
【００６６】
音声付加サービスに加入されている場合、ホーム位置登録器は、交換機へルーチン情報を伝送して一般な音声呼信号処理に従って音声呼を処理する（段階５１３）。この場合、図３で説明したように、実際電話番号に対するルーチン情報などの提供を第２ホーム位置登録器などから受けることができる。
【００６７】
もし音声付加サービスに加入されていない場合、ホーム位置登録器はこのような情報を交換機へ伝送し、交換機は通話連結不可という内容の案内メッセージを発信端末機側へ伝送する（段階５１５）。
【００６８】
図６は本発明の好適な一実施例によって仮想電話番号を用いて短文メッセージを伝送する過程を示す順序図である。
【００６９】
図６を参照すると、まず、発信端末機が、着信端末機に与えられている仮想電話番号によって短文メッセージを伝送する（段階６０１）。
交換機は、短文メッセージを受信して短文メッセージの仮想電話番号を確認し（段階６０３）、第１短文メッセージセンタへ、短文メッセージを含む短文メッセージ信号を伝送する。第１短文メッセージセンタは、ホーム位置登録器へ、受信した短文メッセージ信号に含まれた仮想電話番号のルーチン(routing)情報を要請し（段階６０５）、ルーチン情報の要請を受信したホーム位置登録器は、仮想電話番号サービス加入有無などを確認し、仮想電話番号に対する実際電話番号を抽出した後、これを含んで短文メッセージ信号を付加価値サービスサーバへ伝送する（段階６０７）。
【００７０】
付加価値サービスサーバは、短文メッセージ信号に、仮想電話番号へ送ったメッセージであることを表示する内容を追加することにより、短文メッセージ信号を変更する（段階６０９）。次に、付加価値サービスサーバは、変更された短文メッセージ信号を第２短文メッセージセンタへ伝送し、第２短文メッセージセンタは、受信した短文メッセージ信号に含まれた実際電話番号に対するルーチン情報を第２ホーム位置登録器に要請し、受信されたルーチン情報に従って短文メッセージを交換機を介して実際電話番号に対応する着信端末機へ発送する（段階６１１）。
【００７１】
図７は本発明の好適な一実施例によって仮想電話番号を用いて短文メッセージを伝送する場合の信号流れを示す図である。
【００７２】
図７を参照すると、まず、発信交換機は、発信端末機から伝送された仮想電話番号を含む短文メッセージ信号を第１短文メッセージセンタへ伝送する（段階９０１）。
【００７３】
短文メッセージ信号を受信した第１短文メッセージセンタは、仮想電話番号のルーチン(routing)情報を第１ホーム位置登録器に要請する（段階９０３）。要請に応じて、第１ホーム位置登録器は、仮想電話番号に相応する実際電話番号情報を含むルーチン応答メッセージを第１短文メッセージセンタへ発送する（段階９０５）。
【００７４】
ルーチン応答メッセージを受信した第１短文メッセージセンタは、受信したルーチン応答メッセージに含まれた情報を含む短文メッセージ信号を付加価値サービスサーバへ伝送する（段階９０７）。ここで、短文メッセージ信号は、短文メッセージ、仮想電話番号、仮想電話番号に対応する実際電話番号を少なくとも含む。
【００７５】
付加価値サービスサーバは、前述したような短文メッセージ信号を受信し、受信した短文メッセージ信号に含まれた短文メッセージの内容を、短文メッセージのための仮想移動通信番号サービスによるものであることを表示して変更し（段階９０９）、変更された短文メッセージを含む短文メッセージ信号を第２短文メッセージセンタへ伝送する（段階９１１）。
【００７６】
短文メッセージ信号を受信した第２短文メッセージセンタは、短文メッセージ信号に含まれた実際番号に対するルーチン情報を第２ホーム位置登録器に要請し（段階９１３）、要請に応じて、第２ホーム位置登録器は、前記実際番号のルーチン情報を含むルーチン応答メッセージを前記第２短文メッセージセンタへ伝送する（段階９１７）。
【００７７】
一方、第２短文メッセージセンタは、第２ホーム位置登録器へ実際番号に対するルーチン情報を要請しながら、付加価値サービスサーバへ状態情報を報告し（段階９１５）、状態情報を受信した付加価値サービスサーバは、状態情報に相応して課金などの付加的な作業を行うことができる（段階９２１）。
【００７８】
一方、第２ホーム位置登録器からルーチン応答メッセージを受信した第２短文メッセージセンタは、ルーチン応答メッセージに含まれたルーチン情報に基づいて着信交換機を介して着信端末機へ短文メッセージを伝送する（段階９１９）。
【実施例２】
【００７９】
図８は本発明の好適な他の一実施例に係る仮想電話番号へ短文メッセージサービスを伝送した場合であって、関門交換機を用いて他の移動通信網からメッセージが受信された場合を示す構成図である。
【００８０】
図８を参照すると、まず、他の移動通信網に属した発信端末機が仮想電話番号を用いて着信端末機へ短文メッセージを伝送する（段階１４０１）。短文メッセージを含む短文メッセージ信号は関門交換機を介して付加価値サービスサーバ（Value Added Service server：ＶＡＳ）１４０３へ伝送され、付加価値サービスサーバ１４０３は受信した短文メッセージ信号を第１短文メッセージセンタ１４０５へ伝送する。
【００８１】
第１短文メッセージセンタ１４０５は、第１ホーム位置登録器１４１１に仮想電話番号による短文メッセージのルーチン(routing)情報を要請し、第１ホーム位置登録器１４１１は、仮想電話番号によって仮想電話番号サービス加入有無、仮想電話番号に対応する実際電話番号を含むルーチン応答情報を第１短文メッセージセンタ１４０５へ伝送する。第１短文メッセージセンタは、ルーチン応答情報を含む短文メッセージ信号を付加価値サービスサーバ１４０３へ伝送する。
【００８２】
付加価値サービスサーバ１４０３は、受信された短文メッセージ信号に、仮想電話番号サービスによる短文メッセージという事実を表示し、第２短文メッセージセンタ１４０７へ、変更された短文メッセージ信号を伝送する。短文メッセージ信号を受信した第２短文メッセージセンタ１４０７は短文メッセージが伝達される仮想電話番号に対応する実際電話番号に対するルーチン情報を第２ホーム位置登録器１４１３に要請し、第２ホーム位置登録器１４１３からルーチン応答情報を受信して着信交換機１４０９を介して実際電話番号に対する着信端末へ短文メッセージを伝達する。
【００８３】
図９は本発明の好適な他の一実施例に係る仮想電話番号を用いて短文メッセージを伝送する過程を示す順序図である。
【００８４】
図９を参照すると、まず、他の移動通信網から、着信端末機に与えられている仮想電話番号へ短文メッセージを伝送し（段階１６０１）、伝送された短文メッセージは関門交換機を介して付加価値サービスサーバへ伝送される。
【００８５】
関門交換機を介して短文メッセージを受信した付加価値サービスサーバは、短文メッセージの電話番号を確認し（段階１６０３）、第１短文メッセージセンタへ短文メッセージ信号を伝送する（段階１６０５）。
【００８６】
第１短文メッセージセンタは、短文メッセージの電話番号のルーチン(routing)情報を第１ホーム位置登録器に要請し（段階１６０７）、要請に応じて、第１ホーム位置登録器は、短文メッセージの仮想電話番号を分析し、仮想電話番号に対する実際電話番号をさらに含んで付加価値サービスサーバへ伝送する（段階１６０９）。
【００８７】
付加価値サービスサーバは、短文メッセージの内容に、仮想電話番号へ送ったメッセージであることを表示する内容を追加することにより、短文メッセージの内容を変更する（段階１６１１）。次に、付加価値サービスサーバは、変更されたメッセージと実際電話番号を含む短文メッセージ信号を第２短文メッセージセンタへ伝送し、第２短文メッセージセンタは、変更されたメッセージを、第２ホーム位置登録器にルーチン情報を要請して受信されるルーチン応答情報に応じて交換機を介して実際電話番号に対応する着信端末機へ発送する（段階１６１３）。
【００８８】
図１０は本発明の好適な他の一実施例によって仮想電話番号を用いて短文メッセージを伝送する場合の信号流れを示す図である。
【００８９】
図１０を参照すると、まず、関門交換機は、他の移動通信網を介して発信端末機から伝送された仮想電話番号を含む短文メッセージ信号を付加価値サービスサーバへ伝送する（段階１９０１）。付加価値サービスサーバは、受信した短文メッセージ信号を第１短文メッセージセンタへ伝送する（段階１９０３）。
【００９０】
短文メッセージ信号を受信した第１短文メッセージセンタは、第１ホーム位置登録器へ仮想電話番号のルーチン(routing)情報を要請する（段階１９０５）。要請に応じて、第１ホーム位置登録器は、仮想電話番号に相応する実際電話番号情報を含むルーチン応答信号を第１短文メッセージセンタへ発送する（段階１９０７）。
【００９１】
ルーチン応答信号を受信した第１短文メッセージセンタは、受信したルーチン応答信号に含まれた情報を含む短文メッセージ信号を付加価値サービスサーバへ伝送する（段階１９０９）。ここで、短文メッセージ信号は、短文メッセージ、仮想電話番号、仮想電話番号に対応する実際電話番号を少なくとも含む。
【００９２】
付加価値サービスサーバは、前述したような短文メッセージ信号を受信し、受信した短文メッセージ信号に含まれた短文メッセージ内容を、短文メッセージのための仮想移動通信番号サービスによるものであることを表示して変更し（段階１９１１）、変更された短文メッセージを含む短文メッセージ信号を第２短文メッセージセンタへ伝送する（段階１９１３）。
【００９３】
短文メッセージ信号を受信した第２短文メッセージセンタは、第２ホーム位置登録器へ、短文メッセージ信号に含まれた実際番号に対するルーチン情報を要請し（段階１９１５）、要請に応じて、第２ホーム位置登録器は、実際番号のルーチン情報を含むルーチン応答メッセージを第２短文メッセージセンタへ伝送する（段階１９１９）。
【００９４】
一方、第２短文メッセージセンタは、第２ホーム位置登録器に実際番号に対するルーチン情報を要請しながら、付加価値サービスサーバへ状態情報を報告し（段階１９１７）、状態情報を受信した付加価値サービスサーバは、状態情報に相応して課金などの付加的な作業を行うことができる（段階１９２３）。
【００９５】
一方、第２ホーム位置登録器からルーチン応答メッセージを受信した第２短文メッセージセンタは、ルーチン応答メッセージに含まれたルーチン情報に基づいて着信交換機を介して着信端末機へ短文メッセージを伝送する（段階１９２１）。
【実施例３】
【００９６】
図１１は本発明の好適な別の一実施例に係るマルチメディア文字メッセージを仮想電話番号へ発送する場合のシステム構成を示す図である。
【００９７】
図１１を参照すると、発信端末機が、着信端末機に予め与えられている仮想電話番号へマルチメディアメッセージを伝送する（段階２４０１）。マルチメディア文字メッセージを含むマルチメディアメッセージ信号は、移動通信網２４０３を介して長文メッセージセンタ（Long Message Service Center：ＬＭＳＣ）２４０５へ伝送される。長文メッセージセンタへ伝送されたマルチメディアメッセージ信号は、移動通信ゲートウェイ２４０９へ伝送され、移動通信ゲートウェイ２４０９は、受信されたマルチメディアメッセージ信号に含まれた仮想電話番号を抽出し、これに対応する実際電話番号をマッチングさせ、実際電話番号を含むマルチメディアメッセージ信号をマルチメディアメッセージサービスセンタ（Multimedia Message Service Center：ＭＭＳＣ）２４１１へ伝送する。マルチメディアメッセージサービスセンタ２４１１は、マルチメディアメッセージに対してサイズ調節(resize)やコード変換(transcode)などの所定の作業を行い、伝送するマルチメディアメッセージを生成し、生成されたマルチメディアメッセージを含むマルチメディアメッセージ信号を長文メッセージセンタ２４０５へ伝送する。
【００９８】
長文メッセージセンタは、受信されたマルチメディアメッセージ信号に、仮想電話番号によるものであることを表示してメッセージを処理し（段階２４１５）、着信端末機へマルチメディアメッセージを伝送する。これと同時に、長文メッセージセンタ２４０５は、顧客管理システム２４０７が課金処理などの作業を行うようにすることができる。
【００９９】
図１２は本発明の好適な別の一実施例によってマルチメディアメッセージを仮想電話番号へ発送する場合を示す順序図である。
【０１００】
図１２を参照すると、まず、発信端末機が着信端末機に与えられている仮想電話番号にマルチメディアメッセージを発送する（段階２６０１）。発送されたマルチメディアメッセージを含むマルチメディアメッセージ信号は、発信端末機を含む移動通信網を介して（段階２６０３）、移動通信網と結合する長文メッセージセンタに受信される（段階２６０５）。
【０１０１】
マルチメディアメッセージ信号を受信した長文メッセージセンタは、移動通信ゲートウェイにマルチメディアメッセージ信号を伝送し、移動通信ゲートウェイアは、仮想電話番号を確認し、予め格納された仮想電話番号に対応する実際電話番号をマッチングして実際電話番号を抽出し、抽出された実際番号を含むマルチメディアメッセージ信号をマルチメディアメッセージサービスセンタへ伝送する（段階２６０７）。
【０１０２】
マルチメディアメッセージサービスセンタは、受信されたマルチメディアメッセージ信号に対して前述したようにサイズ調節やコード変換などの所定の作業を行い、作業済みのマルチメディアメッセージを含むマルチメディアメッセージ信号を長文メッセージセンタに伝送する（段階２６０９）。マルチメディアメッセージ信号を受信した長文メッセージサービスセンタは、マルチメディアメッセージに、仮想電話番号を介してのメッセージであることを示す情報を追加し（段階２６１１）、実際電話番号に対応する着信端末機側へマルチメディアメッセージを伝送する（段階２６１３）。
【０１０３】
図１３は本発明の好適な別の一実施例によって仮想電話番号を用いてマルチメディアメッセージを発送する場合の信号流れを示す図である。
【０１０４】
図１３を参照すると、まず、発信端末機が、着信端末機に予め与えられた仮想電話番号を用いて移動通信網を介してマルチメディアメッセージを伝送すると（段階２９０１）、マルチメディアメッセージを含むマルチメディアメッセージ信号は、移動通信網を介して長文メッセージセンタへ伝送される（段階２９０３）。
【０１０５】
マルチメディアメッセージ信号を受信した長文メッセージサービスセンタは、受信したマルチメディアメッセージ信号を移動通信ゲートウェイに伝送しながら、仮想番号に対応する情報を要請する（段階２９０５）。移動通信ゲートウェイは、受信されたマルチメディアメッセージ信号を分析し、マルチメディアメッセージ信号に含まれた仮想電話番号に相応する実際電話番号をマッピングさせ（段階２９０７）、マッピングされた実際電話番号を抽出して、これを含むマルチメディアメッセージ信号をマルチメディアメッセージサービスセンタへ伝送する（段階２９０９）。
【０１０６】
マルチメディアメッセージサービスセンタは、マルチメディアメッセージ信号に応じてサイズ調節やコード変換などの所定の作業を行い、変更されたマルチメディアメッセージ信号を長文メッセージサービスセンタへ伝送する（段階２９１１）。変更されたマルチメディアメッセージ信号を受信した長文メッセージサービスセンタは、変更されたマルチメディアメッセージに、仮想電話番号サービスによるメッセージであることを表示し、変換されたマルチメディアメッセージ信号を移動通信網に伝送し（段階２９１３）、その後着信端末機側へ伝送する。
【０１０７】
図１４は本発明の好適な別の一実施例に係る関門交換機を介して他の移動通信網から受信されるマルチメディアメッセージを仮想電話番号へ発送する場合を示す信号流れ図である。
【０１０８】
図１４を参照すると、まず、外部網を介して受信されるマルチメディアメッセージを含むマルチメディアメッセージ信号を関門交換機ＰＧＳによって受信する。関門交換機は、マルチメディアメッセージ信号をマルチメディアメッセージセンタへ伝送する（段階３００１）。
【０１０９】
マルチメディアメッセージ信号を受信したマルチメディアメッセージセンタは、受信されたマルチメディアメッセージ信号に応じてサイズ調節やコード変換などの所定の作業を行い、変更されたマルチメディアメッセージ信号を形成して長文メッセージセンタへ伝送する（段階３００３）。
【０１１０】
長文メッセージセンタは、マルチメディアメッセージ信号に含まれた仮想電話番号に対応する情報を移動通信ゲートウェイに要請し（段階３００５）、このような要請に応じて、移動通信ゲートウェイは、予め格納された仮想電話番号に相応する実際電話番号をマッピングし（段階３００７）、マッピングした実際電話番号を抽出し、これを含むマルチメディアメッセージ信号を長文メッセージセンタへ伝送する（段階３００９）。
【０１１１】
実際電話番号を含むマルチメディアメッセージ信号を受信した長文メッセージセンタは、マルチメディアメッセージに、仮想電話番号によるものであることを示す表示を加えて変換し、変換されたマルチメディアメッセージを仮想電話番号に相応する実際電話番号の着信端末機へ伝送する（段階３０１１）。
以上、本発明の好適な実施例を参照して本発明の構成を説明したが、本発明は、これらの実施例に限定されないことは言うまでもなく、本発明の属する技術分野における通常の知識を有する者であれば、添付される請求の範囲および図面から把握される範囲内において、各種の変形例または修正例に想到し得ることは明らかである。
【０１１２】
例えば、第１および第２実施例は、短文メッセージだけでなく、長文メッセージの場合にもそのまま適用できるのは勿論である。
【０１１３】
また、第１および第２ホーム位置登録器と第１および第２短文メッセージセンタは、機能上の便利によって分離したものである。第１及び第２短文メッセージセンタは一つの短文メッセージセンタ、第１および第２ホーム位置登録器は一つのホーム位置登録器として実現してもよい。
【０１１４】
また、第２および第３実施例では、仮想電話番号に対して音声通話を試みる場合の処理に関する説明を省略したが、音声通話を試みた発信端末への処理は第１実施例で説明したことをそのまま適用することができる。
【図面の簡単な説明】
【０１１５】
【図１】本発明の好適な一実施例に係る短文メッセージのための仮想移動通信番号（以下、簡単に「仮想電話番号」ともいう）を提供するサービスを概略的に説明するための概念図である。
【図２】仮想電話番号に対して音声呼の連結を試みる場合を説明するための構成図である。
【図３】仮想電話番号に対して音声呼の連結を試みる場合を説明するための構成図である。
【図４】本発明の好適な一実施例によって仮想電話番号へ短文メッセージサービスを伝送する場合を説明するための構成図である。
【図５】音声付加サービスに加入していない端末へ仮想電話番号を用いて音声通話を要請する場合を示す順序図である。
【図６】本発明の好適な一実施例によって仮想電話番号を用いて短文メッセージを伝送する過程を示す順序図である。
【図７】本発明の好適な一実施例によって仮想電話番号を用いて短文メッセージを伝送する場合の信号流れを示す図である。
【図８】は本発明の好適な他の一実施例に係る仮想電話番号へ短文メッセージサービスを伝送した場合であって、関門交換機を用いて他の移動通信網からメッセージが受信された場合を示す構成図である。
【図９】本発明の好適な他の実施例に係る仮想電話番号を用いて短文メッセージを伝送する過程を示す順序図である。
【図１０】本発明の好適な他の実施例によって仮想電話番号を用いて短文メッセージを伝送する場合の信号流れを示す図である。
【図１１】本発明の好適な別の実施例に係るマルチメディア文字メッセージを仮想電話番号へ発送する場合のシステム構成を示す図である。
【図１２】本発明の好適な別の実施例によってマルチメディアメッセージを仮想電話番号へ発送する場合を示す順序図である。
【図１３】本発明の好適な別の実施例によって仮想電話番号を用いてマルチメディアメッセージを発送する場合の信号流れを示す図である。
【図１４】本発明の好適な別の実施例によって関門交換機を介して他の移動通信網から受信されるマルチメディアメッセージを仮想電話番号へ発送する場合を示す信号流れ図である。
【図１】
2008527784.tif 000003
【図２】
2008527784.tif 000004
【図３】
2008527784.tif 000005
【図４】
2008527784.tif 000006
【図５】
2008527784.tif 000007
【図６】
2008527784.tif 000008
【図７】
2008527784.tif 000009
【図８】
2008527784.tif 000010
【図９】
2008527784.tif 000011
【図１０】
2008527784.tif 000012
【図１１】
2008527784.tif 000013
【図１２】
2008527784.tif 000014
【図１３】
2008527784.tif 000015
【図１４】
2008527784.tif 000016
【国際調査報告】
2008527784.tif 000017
2008527784.tif 000018